(57)【要約】【課題】レンズ使用の便利性が向上し、レンズの紛失が無くなる帽子の構造を提供する。【解決手段】ヒサシ１１を有する帽子本体１と、帽子本体１と連結するレンズ２と、ヒサシ１１とレンズ２とを連結するための連結ユニットとを含む。連結ユニットは、磁性素子３１と、磁性素子３１に吸着するための枢着台３２とを含む。磁性素子３１はヒサシ１１内に嵌めて設けてあり、枢着台３２は枢着ブロック３３と枢着し、枢着ブロック３３の他端がレンズ２と結合する。磁性素子３１は、シート状を呈し、両側に翼部３１１が設けてあり、内部に滑り溝３１２が設けてあり、滑り溝３１２に磁石３１３が入れられている。枢着ブロック３３がヒサシ１１の下縁に吸着するとき、磁石３１３と磁石３２３の吸着により、磁性素子３１の滑り溝３１２の区間内でレンズ２は摺動自在である。【選択図】図１
0003118936.tif 000002
【実用新案登録請求の範囲】
【請求項１】
一つのヒサシを有する帽子本体と、前記帽子本体と連結するレンズと、前記帽子本体のヒサシと前記レンズとを連結するための連結ユニットとを含む帽子の構造において、
前記連結ユニットは少なくとも一つを有し、磁性素子と、前記磁性素子に吸着するための枢着台とを含み、前記磁性素子は前記ヒサシ内に嵌めて設けてあり、前記枢着台は枢着ブロックと枢着し、前記枢着ブロックの他端が前記レンズと結合することを特徴とする帽子の構造。
【請求項２】
前記磁性素子は、シート状を呈し、両側に前記ヒサシ内に縫合するための翼部が設けてあり、内部には滑り溝が少なくとも一つ設けてあり、前記滑り溝に磁石を入れて互いに摺動可能であることを特徴とする請求項１に記載の帽子の構造。
【考案の詳細な説明】
【技術分野】
【０００１】
本考案は、帽子に係り、特に、帽子にレンズを結合する構造に関するものである。
【背景技術】
【０００２】
従来の技術は、ヒサシ８１にレンズ９を取付けるための構造を提案している。図７に示すように、レンズ９の上端には一つの凸ブロック９１が設けてあり、前記凸ブロック９１内には磁性素子９２が埋め込んであり、前記磁性素子９２はヒサシ８１の上面に埋め込まれた磁性素子８３の嵌め片８２と安定して吸着し、これにより、レンズ９はヒサシ８１と安定して結合することになり、レンズ９を使用しない場合には、ヒサシ８１からレンズ９を容易に取り出すことができる。
【０００３】
しかしながら、ヒサシ８１からレンズ９を容易に取り出すことができるが、取り出されたレンズ９が任意に放置されて無くなることはよくあり、若しレンズ９がヒサシ８１に収納できれば、レンズ９が任意に放置されて無くなることを防止することができ、レンズ９を頻繁に脱着することも必要なくなり、且つレンズ９の使用の便利性は良くなる。しかし、凸ブロック９１をヒサシ８１にある嵌め片８２に吸着することが必要であり、且つ前記凸ブロック９１がレンズ９の上端に固定されているので、前記レンズ９をヒサシ８へ旋回して収納することはできない。
また、前記嵌め片８２がヒサシ８１の上面に設けられているので、帽子８全体の美観に影響する。
【考案の開示】
【考案が解決しようとする課題】
【０００４】
本考案の主な目的は、レンズの使用の便利性が向上し、レンズの紛失が無くなる帽子の構造を提供する。
本考案の次の目的は、帽子全体の外観が綺麗になる帽子の構造を提供する。
【課題を解決するための手段】
【０００５】
上記目的を達成するためになされた本考案は、一つのヒサシを有する帽子本体と、前記帽子本体と連結するレンズと、前記帽子本体のヒサシと前記レンズとを連結するための連結ユニットとを含む帽子の構造において、前記連結ユニットは少なくとも一つを有し、磁性素子と、前記磁性素子に吸着するための枢着台とを含み、前記磁性素子は前記ヒサシ内に嵌めて設けてあり、前記枢着台は枢着ブロックと枢着し、前記枢着ブロックの他端が前記レンズと結合することを特徴とする帽子の構造であることを要旨としている。
本考案では、前記磁性素子は、シート状を呈し、両側に前記ヒサシ内に縫合するための翼部が設けてあり、内部には滑り溝が少なくとも一つ設けてあり、前記滑り溝に磁石を入れて互いに摺動することが可能であることを特徴とする請求項１に記載の帽子の構造であることを要旨としている。
【考案の効果】
【０００６】
本考案に係る帽子の構造によれば、レンズの使用の便利性が向上し、レンズの紛失が無くなり、且つ帽子全体の外観が綺麗になる。
【考案を実施するための最良の形態】
【０００７】
以下、添付図面を参照して本考案の好適な実施の形態を詳細に説明する。
まず、図１から図５を参照する。本実施例の長所は、帽子本体１にレンズ２が連結した状態で、レンズ２を下ろすことなく、帽子本体１に旋回して収納できることにある。
図１は本考案の実施例１による帽子の構造の分解斜視図であり、図２は本考案の実施例１による帽子の構造の組合状態を示す斜視図である。
【０００８】
本考案の実施例１による帽子の主な構造は、帽子本体１の周縁の一部に外側へ延設するヒサシ１１が設けてあり、前記ヒサシ１１内にはシート状を呈する磁性素子３１が埋め込んであり、もちろん、ヒサシ１１の外形と寸法とに合う磁性素子３１を使用してもよく、なお、その前提は、前記ヒサシ１１内に埋め込んだ磁性素子３１がヒサシ１１の外部に露出しないことであり、本実施例では、採用された磁性素子３１の両側にはヒサシ１１内に縫合するための翼部３１１が設けてあり、且つ前記磁性素子３１の内部には滑り溝３１２が二つ設けてあり、各滑り溝３１２に一つの磁石３１３がそれぞれ入れられ、前記滑り溝３１２内で前記磁石３１３は往復で摺動可能である。
【０００９】
レンズ２は枢着ブロック３３に結合し、前記枢着ブロック３３の一端には前記レンズ２を嵌めるための溝３３１が設けてあり、二つのねじ３３２をねじ込むことにより、前記レンズ２が枢着ブロック３３に固定され、なお、前記枢着ブロック３３のレンズ２から遠ざかる一端にはオス枢着部３３４が設けてある。
【００１０】
前記連結ユニット３は、前記ヒサシ１１に埋め込まれた磁性素子３１と、レンズ２と結合するための枢着ブロック３３と、枢着台３２とを含み、前記枢着台３２の上端は平面３２１を呈し、且つ前記平面３２１には穴３２２が二つ開設してあり、各穴３２２内には磁石３２３が設置してあり、前記磁石３２３はヒサシ１１内に埋め込まれた磁性素子３１に吸着し、平面３２１により吸着面積が増加し、上記両者はもっと安定して吸着することができ、また、前記枢着台３２の下端には前記オス枢着部３２４と枢着するためのメス枢着部３２４が設けてある。
【００１１】
また、図３に示すように、前記枢着ブロック３３のレンズ２と結合する溝３３１の中央には前記レンズ２の上端に設けた凹部２１と合うための凸ブロック３３３が設けてあり、前記凸ブロック３３３と凹部２１とが合うことにより、レンズ２を枢着ブロック３３に結合すると、前記レンズ２は適当な位置に定位され、位置の矯正操作が必要なくなる。
【００１２】
また、図４は本実施例の帽子の動作を示す概略図１であって、枢着ブロック３３がヒサシ１１の下縁に吸着するときには、各磁石３１３と磁石３２３の吸着により、磁性素子３１の滑り溝３１２の区間内でレンズ２は摺動自在である。
また、図５は本実施例の帽子の動作を示す概略図２であり、本実施例の最も重要な重点は、枢着台３２にあるメス枢着部３２４と枢着ブロック３３にあるオス枢着部３３４との枢着により、前記枢着ブロック３３に結合したレンズ２が上へ旋回してヒサシ１１に寄ることにある。
【００１３】
また、図６は本考案に係る実施例２であり、各部材の使用方式および操作原理は実施例１と同様であるので、その説明は省略する。しかし、実施例１と実施例２との異なる点は、連結ユニット４にある枢着台４１の枢着ブロック４２と枢着する端にオス枢着部４１１が設けてあり、前記枢着ブロック４２にはオス枢着部４１１と枢着するためのメス枢着部４２１が設けてあり、そのような構造は実施例１と同様な効果を有する。
【００１４】
このように、本考案が特定の例を参照して説明されたが、それらの例は説明のためだけのものであり、本考案を限定するものではなく、この分野に通常の知識を有する者は本考案の精神および範囲を逸脱することなく、ここで開示された実施例に変更、追加または削除を施してもよいことがわかる。
【図面の簡単な説明】
【００１５】
【図１】本考案の実施例１による帽子の構造の分解斜視図である。
【図２】本考案の実施例１による帽子の構造の組合状態を示す斜視図である。
【図３】本考案の実施例１による帽子の構造の連結ユニットの枢着ブロックとレンズとの結合を示す概略図である。
【図４】本考案の実施例１による帽子の構造の動作を示す概略図１である。
【図５】本考案の実施例１による帽子の構造の動作を示す概略図２である。
【図６】本考案の実施例２による帽子の構造を示す分解斜視図である。
【図７】従来の帽子の構造の組合状態を示す概略図である。
【符号の説明】
【００１６】
１  帽子本体、２  レンズ、３  連結ユニット、４  連結ユニット、９  レンズ、１１  ヒサシ、２１  凹部、３１  磁性素子、３２  枢着台、３３  枢着ブロック、４１  枢着台、４２  枢着ブロック、４３  固定素子、８１  ヒサシ、８２  嵌め片、８３  磁性素子、９１  凸ブロック、９２  磁性素子、３１１  翼部、３１２  滑り溝、３１３  磁石、３２１  平面、３２２  穴、３２３  磁石、３２４  メス枢着部、３３１  溝、３３２  ねじ、３３３  凸ブロック、３３４  オス枢着部、４１１  オス枢着部、４２１  メス枢着部
【図１】
0003118936.tif 000003
【図２】
0003118936.tif 000004
【図３】
0003118936.tif 000005
【図４】
0003118936.tif 000006
【図５】
0003118936.tif 000007
【図６】
0003118936.tif 000008
【図７】
0003118936.tif 000009